Podtech/llm-jp-corpus-v4-ja_patent huggingface dataset:
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
蛍光Ｘ線分析装置、原子吸光光度計、及び誘導結合プラズマ発光分析装置のうちの少なくとも１つと、赤外分光光度計及びラマン分光光度計のうちの少なくとも１つとを含む複数の分析装置のそれぞれの測定により得られた、分析対象試料に含まれる成分及びその含有量に対応する物理量の測定結果から該分析対象試料を解析するために用いられる試料解析システムであって、
a) 複数の参照物の情報を集積したデータベースであって、各参照物の情報が、前記複数の分析装置のそれぞれの測定により得られた、当該参照物に含まれる複数の成分とその前記物理量の測定結果、及び該複数の成分のそれぞれが当該参照物を特徴づけるものであるか否かを表す成分分類情報を含む参照物データベースと、
b) 前記複数の参照物の中から使用者に前記分析対象試料と照合する１乃至複数の参照物を指定させる参照物指定部と、
c) 前記１乃至複数の参照物のそれぞれについて、前記分析装置毎に、当該参照物の測定結果を前記分析対象試料の測定結果と照合し、共通成分が存在するか否かを示す成分の共通性、各成分の前記物理量の差、及び前記測定結果の一致度を求める測定結果照合部と、
d) 前記１乃至複数の参照物のそれぞれについて、前記分析装置毎に求められた前記一致度を統合した統合一致度を求める統合一致度算出部と、
e) 前記１乃至複数の参照物のそれぞれについて、当該参照物に含まれる成分の前記物理量の差が予め決められた許容範囲内であるか否かを判定し、該物理量の差が前記許容範囲外である成分を前記成分分類情報に基づいて分類する判定部と、
f) 前記統合一致度が高い順に所定数の参照物について、前記統合一致度と、前記判定部による判定及び前記分類の結果に応じた付加情報とを出力する結果出力部と
を備えることを特徴とする試料解析システム。
【請求項２】
前記成分分類情報が、前記複数の成分を、参照物を特徴づける成分、含有量の多少によって問題が生じることのない成分、及び不純物成分に分類する情報であることを特徴とする請求項１に記載の試料解析システム。
【請求項３】
前記不純物成分が、さらに、一般不純物と禁止不純物に分類されていることを特徴とする請求項２に記載の試料解析システム。
【請求項４】
前記複数の分析装置に蛍光Ｘ線分析装置が含まれており、
g) 前記蛍光Ｘ線分析装置を用いた前記対象試料の測定データから、コンプトン散乱線とレイリー散乱線の強度比を求める散乱線強度比算出部と、
h) 前記強度比に基づいて、前記蛍光Ｘ線分析装置、及び前記赤外分光光度計又は前記ラマン分光光度計に関する一致度に重み付けを与える係数を決定する係数決定部
を備え、
前記統合一致度算出部が、前記蛍光Ｘ線分析装置、及び前記赤外分光光度計又は前記ラマン分光光度計に関する一致度に前記係数を反映して前記統合一致度を算出することを特徴とする請求項１から３のいずれかに記載の試料解析システム。
【請求項５】
蛍光Ｘ線分析装置、原子吸光光度計、及び誘導結合プラズマ発光分析装置のうちの少なくとも１つと、赤外分光光度計及びラマン分光光度計のうちの少なくとも１つとを含む複数の分析装置のそれぞれの測定により得られた、分析対象試料に含まれる成分及びその含有量に対応する物理量の測定結果から該分析対象試料を解析するために用いられる試料解析方法であって、
a) 複数の参照物の情報を集積したデータベースであって、各参照物の情報が、前記複数の分析装置のそれぞれの測定により得られた、当該参照物に含まれる複数の成分とその前記物理量の測定結果、及び該複数の成分のそれぞれが当該参照物を特徴づけるものであるか否かを表す成分分類情報を含む参照物データベースを準備する参照物データベース準備ステップと、
b) 前記複数の参照物の中から前記分析対象試料と照合する１乃至複数の参照物を指定する参照物指定ステップと、
c) 前記１乃至複数の参照物のそれぞれについて、前記分析装置毎に、当該参照物の測定結果を前記分析対象試料の測定結果と照合し、共通成分が存在するか否かを示す成分の共通性、各成分の前記物理量の差、及び前記測定結果の一致度を求める測定結果照合ステップと、
d) 前記１乃至複数の参照物のそれぞれについて、前記分析装置毎に求められた前記一致度を統合した統合一致度を求める統合一致度算出ステップと、
e) 前記１乃至複数の参照物のそれぞれについて、当該参照物に含まれる成分の前記物理量の差が予め決められた許容範囲内であるか否かを判定し、該物理量の差が前記許容範囲外である成分を前記成分分類情報に基づいて分類する判定ステップと
を備えることを特徴とする試料解析方法。
【手続補正２】
【補正対象書類名】明細書
【補正対象項目名】００４７
【補正方法】変更
【補正の内容】
【００４７】
上記実施例は一例であって、本発明の趣旨に沿って適宜に変更することができる。上記実施例では工場等において原材料を検査する場合を例に説明したが、異物の特定等の用途にも用いることができる。この場合は、異物がどのようなものであるかが不明であるため、ライブラリに保存されている全ての参照物を対象として上記各ステップを行う（即ち、ステップＳ２において全ての参照物を指定する）。この場合には、試料解析システム１の処理に係る負荷を低減するために、一致度が高い参照物を所定数抽出して１次候補参照物とし、該１次候補参照物についてのみ統合一致度等を求めるように構成したり、統合一致度が高い参照物を所定数抽出して２次候補参照物とし、該２次候補参照物についてのみ判定部１８の処理対象とするように構成したりすることができる。この場合に得られる解析結果表示画面の一例を図１２に示す。図１２では、統合一致度が高い順に５つの参照物が表示されるとともに、それぞれについての付加情報が簡易的に表示される。上向きの矢印は異物に含まれる当該成分（元素）の含有量が前記許容範囲を超えて多いことを示し、下向きの矢印は異物に含まれる当該成分（元素）の含有量が前記許容範囲を超えて少ないことを示す。不純物については成分（元素）名のみを表示する。また、参照物名の欄を選択することにより、各参照物について図１０と同様の画面を表示させることができる。
【手続補正書】
【提出日】令和1年5月28日(2019.5.28)
【手続補正１】
【補正対象書類名】特許請求の範囲
【補正対象項目名】請求項１
【補正方法】変更
【補正の内容】
【請求項１】
内周に複列の外側転走面が一体に形成された外方部材と、
一端部に車輪を取り付けるための車輪取り付けフランジを一体に有し、外周の他端部に軸方向に延びる小径段部が形成されたハブ輪、およびこのハブ輪の小径段部に圧入された少なくとも一つの内輪からなり、外周に前記複列の外側転走面に対向する複列の内側転走面が形成された内方部材と、
この内方部材と前記外方部材とのそれぞれの転走面間に転動自在に収容された複列の転動体と、
前記外方部材のインナー側開口部の内周に嵌合され、外周面に円環状のシール部材が設けられる円筒状の保護カバーと、
前記外方部材のインナー側開口部の内周であって前記保護カバーよりも外側に嵌合される円筒状のセンサホルダと、を備えた車輪用軸受装置において、
前記外方部材のインナー側開口部の内周に、インナー側端から軸方向アウター側に向かって順に、前記センサホルダが嵌合されるセンサホルダ嵌合部と、前記保護カバーのシール部材が接触するシール部と、前記保護カバーが嵌合される保護カバー嵌合部とが形成され、
前記保護カバー嵌合部の軸方向長さは、前記センサホルダ嵌合部の軸方向長さよりも短い車輪用軸受装置。
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
本体部と、
前記本体部の少なくとも一部として、又は、前記本体部の少なくとも一部の上に設けられ、冷却ガスが通過可能な多孔質部と、
前記冷却ガスの流れ方向にて前記多孔質部よりも上流に配置され、前記多孔質部を通過不能な異物を捕集可能な少なくとも１つのフィルタと、を備え、
前記多孔質部は、前記本体部の少なくとも一部の上に設けられ、
前記本体部の少なくとも一部には、前記多孔質部に前記冷却ガスを供給するための冷却ガス供給孔が設けられ、
前記冷却ガス供給孔の断面積は、前記冷却ガスの流れ方向にて出口に近付くほど徐々に小さくなり、
前記少なくとも１つのフィルタは、前記冷却ガス供給孔の内部であって、前記冷却ガスの流れ方向にて前記冷却ガス供給孔の入口側に配置されている
ことを特徴とするガスタービン用高温部品。
【請求項２】
前記本体部には、前記冷却ガス供給孔と前記多孔質部との間に、前記冷却ガス供給孔よりも断面積が大きい空洞が設けられている
ことを特徴とする請求項１に記載のガスタービン用高温部品。
【請求項３】
前記本体部又は前記多孔質部は、動翼、静翼、分割環及び燃焼器のうち何れか一つの少なくとも一部を構成している
ことを特徴とする請求項１又は２に記載のガスタービン用高温部品。
【請求項４】
請求項１乃至３の何れか一項に記載のガスタービン用高温部品を備えることを特徴とするガスタービン。
【請求項５】
本体部と、
前記本体部の少なくとも一部として、又は、前記本体部の少なくとも一部の上に設けられ、冷却ガスが通過可能な多孔質部と、
前記冷却ガスの流れ方向にて前記多孔質部よりも上流に配置され、前記多孔質部を通過不能な異物を捕集可能な少なくとも１つのフィルタと、を備え、
前記多孔質部は、前記本体部の少なくとも一部の上に設けられ、
前記本体部の少なくとも一部には、前記多孔質部に前記冷却ガスを供給するための冷却ガス供給孔が設けられ、
前記少なくとも１つのフィルタは、前記多孔質部と前記本体部の少なくとも一部との間に挟まれている
ことを特徴とするガスタービン用高温部品。
【請求項６】
前記本体部には、前記冷却ガス供給孔と前記多孔質部との間に、前記冷却ガス供給孔よりも断面積が大きい空洞が設けられている
ことを特徴とする請求項５に記載のガスタービン用高温部品。
【請求項７】
前記本体部又は前記多孔質部は、動翼、静翼、分割環及び燃焼器のうち何れか一つの少なくとも一部を構成している
ことを特徴とする請求項５又は６に記載のガスタービン用高温部品。
【請求項８】
請求項５乃至７の何れか一項に記載のガスタービン用高温部品を備えることを特徴とするガスタービン。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
翼部の少なくとも後縁部を構成し、冷却ガスが通過可能な多孔質部を備え、
前記多孔質部は、前記翼部の内部から前記多孔質部を通じて前記翼部の後縁から前記冷却ガスが流出するように構成され、
前記多孔質部は、
外側多孔質部と、
前記外側多孔質部によって覆われ、前記外側多孔質部よりも気孔率が大きい内側多孔質部と
を含むガスタービンの翼。
【請求項２】
前記外側多孔質部の厚さは、前記後縁部の上流側において、前記後縁部の下流側に比べて大きい、請求項１に記載のガスタービンの翼。
【請求項３】
前記外側多孔質部によって覆われる本体部をさらに備える、請求項１または２に記載のガスタービンの翼。
【請求項４】
前記本体部は、冷却ガスが供給される内部空間を含む、請求項３に記載のガスタービンの翼。
【請求項５】
前記本体部は、該本体部の下流端部に設けられ、前記内部空間と前記内側多孔質部とを流体的に接続するための冷却ガス供給孔を含む、請求項４に記載のガスタービンの翼。
【請求項６】
請求項１〜５のいずれか一項に記載のガスタービンの翼を備えることを特徴とするガスタービン。
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
３個以上の奇数個のベンゼン環が直線状に縮合した高次アセンの中央の１個のベンゼン環である中央ベンゼン環の該ベンゼン環における１位と４位がそれぞれハロゲンで置換されており、
前記中央ベンゼン環を挟んで両側の対称な位置にある各１個のベンゼン環の該ベンゼン環における１位と４位の間にジケトンがそれぞれ架橋している、高次アセン誘導体。
【請求項２】
前記高次アセンが、７個以上のベンゼン環が直線状に縮合したものである、請求項１に記載の高次アセン誘導体。
【請求項３】
前記高次アセンの両端よりも１つ内側のベンゼン環に前記ジケトンが架橋している、請求項１又は２のいずれかに記載の高次アセン誘導体。
【請求項４】
前記高次アセンがヘプタセンである、請求項１〜３のいずれかに記載の高次アセン誘導体。
【請求項５】
［7,16-ジブロモ-5,9,14,18-テトラヒドロ-5,18:9,14-ビスエタノヘプタセン-19,20,21,22-テトラケトン］である、請求項４に記載の高次アセン誘導体。
【請求項６】
下記式１又は式２で表される請求項４に記載の高次アセン誘導体。
【化１】
2018087166.tif 000001
【化２】
2018087166.tif 000002
【請求項７】
a) 中央環にキノンを有する高次アセン誘導体に、ディールス・アルダー反応によりアセチレンジカルボン酸ジメチル（DMAD）を架橋付し、
b) 脱炭酸反応により架橋部のエステル基を除去し、
c) 還元反応によりキノンの酸素を除去して同位にハロゲンを付加し
d) 酸化反応により架橋部に酸素を付加し、ジケトンを形成する、
という工程を含むことを特徴とする高次アセン誘導体の製造方法。
【請求項８】
a) 7,16-ヘプタセンキノンに、ディールス・アルダー反応によりアセチレンジカルボン酸ジメチル（DMAD）を架橋付加し、
b) 脱炭酸反応により架橋部のエステル基を除去し、
c) 還元反応によりキノンの酸素を除去して同位にブロモ基を付加し、
d) 酸化反応により架橋部に酸素を付加し、7,16-ジブロモ-5,9,14,18-テトラヒドロ-5,18:9,14-ビスエタノヘプタセン-19,20,21,22-テトラケトンを形成する、
という工程を含むことを特徴とする高次アセン誘導体の製造方法。
【手続補正２】
【補正対象書類名】明細書
【補正対象項目名】００１１
【補正方法】変更
【補正の内容】
【００１１】
上記高次アセン誘導体において、ハロゲンで置換された位置である１位と４位は中央ベンゼン環における位置をいい、高次アセンの全体における位置を示すものではない。つまり、高次アセンがアントラセンの場合は、中央ベンゼン環の１位と４位は、アントラセンの５位と１０位を意味する。ジケトンが架橋している位置である１位と４位についても同様である。
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
以下のＡ）及びＢ）を組み合わせてなる、ヒト又は動物の細胞内ＡＴＰ増強剤。
Ａ）アロプリノール、トピロキソスタット又はこれらの化合物の薬学的に許容される塩
Ｂ）ヒポキサンチン、又は体内でヒポキサンチンに変換され得る化合物
【請求項２】
Ｂ）の体内でヒポキサンチンに変換され得る化合物が、イノシン、イノシン酸、アデニン、アデノシン、ＡＭＰ、ＡＤＰ、ＡＴＰ、サクシニルアデノシン、Ｓ−アデノシルメチオニン、Ｓ−アデノシルホモシステイン、メチルチオアデノシンおよびそれらの薬学的に許容される塩から選ばれるいずれか１以上の化合物である請求項１に記載の細胞内ＡＴＰ増強剤。
【請求項３】
Ａ）及びＢ）の組み合わせが、Ａ）及びＢ）を含む合剤又はキット剤である、請求項１又は２に記載のＡＴＰ増強剤。
【請求項４】
細胞内ＡＴＰ増強剤としてイノシンと組み合わせて使用される、アロプリノール又はトピロキソスタット。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
質量％で、
Ｂ２Ｏ３成分を６．０％以上２４．０％以下、
Ｌａ２Ｏ３成分を１１．０％以上４０．０％以下、
ＴｉＯ２成分を９．０％以上３４．０％以下、
ＢａＯ成分を７．０％以上３４．０％以下
含有し、
ＳｉＯ２成分の含有量が１４．０％以下、
ＺｎＯ成分の含有量が２１．０％以下
であり、
１．８５以上の屈折率（ｎｄ）を有し、２３以上３５以下のアッベ数（νｄ）を有する光学ガラス。
【請求項２】
質量％で、
Ｇｄ２Ｏ３成分  ０〜１０．０％
Ｙ２Ｏ３成分  ０〜２０．０％
Ｙｂ２Ｏ３成分  ０〜１０．０％
Ｎｂ２Ｏ５成分  ０〜１５．０％
ＷＯ３成分  ０〜１５．０％
ＺｒＯ２成分  ０〜１５．０％
Ｔａ２Ｏ５成分  ０〜１０．０％
ＭｇＯ成分  ０〜５．０％
ＣａＯ成分  ０〜１０．０％
ＳｒＯ成分  ０〜１０．０％
Ｌｉ２Ｏ成分  ０〜５．０％
Ｎａ２Ｏ成分  ０〜１０．０％
Ｋ２Ｏ成分  ０〜１０．０％
Ｐ２Ｏ５成分  ０〜１０．０％
ＧｅＯ２成分  ０〜１０．０％
Ａｌ２Ｏ３成分  ０〜１０．０％
Ｇａ２Ｏ３成分  ０〜１０．０％
Ｂｉ２Ｏ３成分  ０〜１０．０％
ＴｅＯ２成分  ０〜１０．０％
ＳｎＯ２成分  ０〜３．０％
Ｓｂ２Ｏ３成分  ０〜１．０％
であり、
上記各元素の１種又は２種以上の酸化物の一部又は全部と置換した弗化物のＦとしての含有量が０〜１０．０質量％である、請求項１に記載の光学ガラス。
【請求項３】
質量比（Ｔａ２Ｏ５＋Ｇｄ２Ｏ３＋Ｎｂ２Ｏ５）／（ＴｉＯ２＋ＺｎＯ）が０．５００以下である、請求項１又は２に記載の光学ガラス。
【請求項４】
請求項１から３のいずれかに記載の光学ガラスからなるプリフォーム材。
【請求項５】
請求項１から３のいずれかに記載の光学ガラスからなる光学素子。
【請求項６】
請求項５に記載の光学素子を備える光学機器。
【手続補正書】
【提出日】令和1年7月12日(2019.7.12)
【手続補正１】
【補正対象書類名】明細書
【補正対象項目名】０００７
【補正方法】変更
【補正の内容】
【０００７】
上記目的を達成するため、本発明に係る膨張装置は、
筐体に設けられた排気ファンと、
前記筐体内に設けられ、対象物に光を照射する照射部と、
前記筐体内の移動が可能であり、外気を前記筐体内に供給するため給気ファンと、
を備え、
前記排気ファンは、前記給気ファンが移動する方向の筐体面に設けられている、
ことを特徴とする。
【手続補正２】
【補正対象書類名】特許請求の範囲
【補正対象項目名】全文
【補正方法】変更
【補正の内容】
【特許請求の範囲】
【請求項１】
筐体に設けられた排気ファンと、
前記筐体内に設けられ、対象物に光を照射する照射部と、
前記筐体内の移動が可能であり、外気を前記筐体内に供給するため給気ファンと、
を備え、
前記排気ファンは、前記給気ファンが移動する方向の筐体面に設けられている、
ことを特徴とする膨張装置。
【請求項２】
前記排気ファンは、第１の位置及び第２の位置の間を移動し、当該第２の位置側の筐体面に設けられている、
ことを特徴とする請求項１に記載の膨張装置。
【請求項３】
前記筐体は開口部が設けられ、
当該開口部は前記第１の位置の筐体面に設けられている、
ことを特徴とする請求項２に記載の膨張装置。
【請求項４】
前記第２の位置は、前記開口部が設けられている前記第１の位置の筐体面と向かい合う面の位置である、
ことを特徴とする請求項３に記載の膨張装置。
【請求項５】
前記照射部は前記給気ファンと共に移動可能であり、当該給気ファンの下方に設けられている、
ことを特徴とする請求項１乃至４のいずれか１項に記載の膨張装置。
【請求項６】
前記給気ファン及び前記排気ファンは、前記照射部が消灯している場合に稼働する、
ことを特徴とする請求項１乃至５のいずれか１項に記載の膨張装置。
【請求項７】
前記対象物である熱膨張性シートを固定するトレイを備え、
前記トレイは、前記照射部及び前記給気ファンの下方に位置する、
ことを特徴とする請求項１乃至６のいずれか１項に記載の膨張装置。
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
情報通信回線を通じて接続されたサーバとコンピュータを用いるゲームシステムであって，
複数のキャラクタが含まれるパーティーが参加するビデオゲームにおいて所定条件が満たされたか判定する判定部と，
前記所定条件が満たされた場合，前記ビデオゲームとは異なる所定ゲームを前記複数のキャラクタに実行させる実行部と，
前記所定ゲームの結果に基づいて前記ビデオゲームを再開する再開部とを含む
ゲームシステム。
【請求項２】
前記判定部は，前記複数のキャラクタに関する情報に基づいて，前記所定条件としてのゲームオーバー条件が満たされたか判定する
請求項１に記載のゲームシステム。
【請求項３】
前記実行部は，前記複数のキャラクタの中から一の勝者を決定するためのゲームを前記所定ゲームとして実行させ，
前記再開部は，前記一の勝者による操作に基づいて前記ビデオゲームを再開する
請求項１または請求項２に記載のゲームシステム。
【請求項４】
前記再開部は，前記所定ゲームの結果として決定されたキャラクタに対応するプレイヤの操作に基づいて，前記複数のキャラクタのパラメータを設定し，前記ビデオゲームを再開する
請求項１から請求項３のうち何れかに記載のゲームシステム。
【請求項５】
情報通信回線を通じて接続されサーバとコンピュータを用いるゲームシステム用プログラムであって，
前記コンピュータを，
複数のキャラクタが含まれるパーティーが参加するビデオゲームにおいて所定条件が満たされたか判定する判定手段と，
前記所定条件が満たされた場合，前記ビデオゲームとは異なる所定ゲームを前記複数のキャラクタに実行させる実行手段と， 
前記所定ゲームの結果に基づいて前記ビデオゲームを再開する再開手段とを含む
ものとして動作させる
ゲームシステム用プログラム。
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
股関節ナビゲーションシステムであって、
解剖学上の位置又はランドマーク或いは他の選択された位置に配置されるように構成されたアンカー部分を備える治具と、
前記治具と連結するように構成された第１の慣性ナビゲーション装置と、
第２の慣性ナビゲーション装置と、
を備え、
前記第１の慣性ナビゲーション装置、前記第２の慣性ナビゲーション装置、又は、前記第１の慣性ナビゲーション装置及び前記第２の慣性ナビゲーション装置は、前記第１の慣性ナビゲーション装置及び前記第２の慣性ナビゲーション装置のうちの少なくとも１つからのデータに基づいた平面の配向を計算するように構成される、股関節ナビゲーションシステム。
【請求項２】
前記第２の慣性ナビゲーション装置は、ランドマーク取得プローブに連結するように構成される、請求項１に記載の股関節ナビゲーションシステム。
【請求項３】
少なくとも１つのランドマークと接触するように構成されたランドマーク取得プローブをさらに備える、請求項２に記載の股関節ナビゲーションシステム。
【請求項４】
前記ランドマーク取得プローブは、複数のランドマークと接触するように構成される、請求項２又は３に記載の股関節ナビゲーションシステム。
【請求項５】
前記第２の慣性ナビゲーション装置及び前記ランドマーク取得プローブは、前記治具と連結するように構成される、請求項２〜４のいずれか一項に記載の股関節ナビゲーションシステム。
【請求項６】
前記ランドマーク取得プローブは、前記ランドマーク取得プローブの先端の位置を示しているスケールを備える、請求項２〜５のいずれか一項に記載の股関節ナビゲーションシステム。
【請求項７】
前記ランドマーク取得プローブの線形位置又は角度位置を示す画像を捕捉するために適合されたカメラをさらに備える、請求項２〜６のいずれか一項に記載の股関節ナビゲーションシステム。
【請求項８】
前記ランドマーク取得プローブの先端と接触が行われると、前記股関節ナビゲーションシステムは、前記第２の慣性ナビゲーション装置の配向を記憶するように構成される、請求項２〜７のいずれか一項に記載の股関節ナビゲーションシステム。
【請求項９】
ランドマーク取得プローブの先端が所望された位置にある場合に、前記股関節ナビゲーションシステムは、前記第２の慣性ナビゲーション装置の１つ又は複数のセンサーからのデータを処理し、且つ前記第２の慣性ナビゲーション装置の１つ又は複数のセンサーの配向のデータを記憶する、請求項１〜８のいずれか一項に記載の股関節ナビゲーションシステム。
【請求項１０】
前記第１の慣性ナビゲーション装置、前記第２の慣性ナビゲーション装置、又は、前記第１の慣性ナビゲーション装置及び前記第２の慣性ナビゲーション装置は、解剖学上のランドマークの位置に少なくとも部分的に基づいて、臼蓋窩の平面の配向を決定するように構成される、請求項１に記載の股関節ナビゲーションシステム。
【請求項１１】
前記第１の慣性ナビゲーション装置、前記第２の慣性ナビゲーション装置、又は、前記第１の慣性ナビゲーション装置及び前記第２の慣性ナビゲーション装置は、水平面を決定するように構成される、請求項１に記載の股関節ナビゲーションシステム。
【請求項１２】
前記第１の慣性ナビゲーション装置、前記第２の慣性ナビゲーション装置、又は、前記第１の慣性ナビゲーション装置及び前記第２の慣性ナビゲーション装置は、垂直面を決定するように構成される、請求項１に記載の股関節ナビゲーションシステム。
【請求項１３】
寛骨臼カップと連結するように構成された第１の端部を有する寛骨臼カップ配置装置をさらに備える、請求項１に記載の股関節ナビゲーションシステム。
【請求項１４】
前記第２の慣性ナビゲーション装置は、前記寛骨臼カップ配置装置と連結するように構成される、請求項１３に記載の股関節ナビゲーションシステム。
【請求項１５】
前記寛骨臼カップ配置装置は、前記平面を参照することにより、前記寛骨臼カップを配置するように構成される、請求項１３又は１４に記載の股関節ナビゲーションシステム。
【請求項１６】
前記第１の慣性ナビゲーション装置及び前記第２の慣性ナビゲーション装置は、人工股関節のカップを移植した後で、大腿骨が適切に回転して配置されることを保証するように構成される、請求項１〜１５のいずれか一項に記載の股関節ナビゲーションシステム。
【請求項１７】
前記第１の慣性ナビゲーション装置は、ディスプレイを備える、請求項１〜１６のいずれか一項に記載の股関節ナビゲーションシステム。
【請求項１８】
股関節ナビゲーションシステムであって、
股関節に隣接して配置されるように構成されたアンカー部分を有する治具と、
前記治具に移動不能に連結されるように構成された第１の慣性ナビゲーション装置と、
前記治具と連結されるように構成された第２の慣性ナビゲーション装置であって、前記治具に対して移動可能であるように構成された第２の慣性ナビゲーション装置と、
を備え、
前記第１の慣性ナビゲーション装置、前記第２の慣性ナビゲーション装置、又は、前記第１の慣性ナビゲーション装置及び前記第２の慣性ナビゲーション装置は、前記第１の慣性ナビゲーション装置及び前記第２の慣性ナビゲーション装置のうちの少なくとも１つからのデータに基づいた平面の配向を計算するように構成される、股関節ナビゲーションシステム。
【請求項１９】
股関節ナビゲーションシステムであって、
解剖学上の位置又はランドマーク或いは他の選択された位置に配置されるように構成されたアンカー部分を備える治具と、
前記治具と連結するように構成された第１の慣性ナビゲーション装置と、
第２の慣性ナビゲーション装置と、
を備え、
前記第１の慣性ナビゲーション装置、前記第２の慣性ナビゲーション装置、又は、前記第１の慣性ナビゲーション装置及び前記第２の慣性ナビゲーション装置は、平面の配向を記録し、且つ前記平面に対する角度を表示するように構成される、股関節ナビゲーションシステム。
【請求項２０】
股関節ナビゲーションシステムであって、
解剖学上の位置又はランドマーク或いは他の選択された位置に配置されるように構成されたアンカー部分を備える治具と、
前記治具に移動不能に接続されるように構成された第１の慣性ナビゲーション装置と、
複数の位置において第２の慣性ナビゲーション装置の位置及び／又は配向を示す位置信号及び／又は配向信号を出力するように構成された第２の慣性ナビゲーション装置と、
を備え、
前記第１の慣性ナビゲーション装置及び／又は前記第２の慣性ナビゲーション装置は、前記位置信号及び／又は前記配向信号に基づいた情報を表示する、股関節ナビゲーションシステム。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
患者の糖尿病を治療するためのシステムであって、該システムは、
遠位部分を備える細長管と、
患者の胃および空腸に関して、治療が患者の十二指腸を解剖学的に無傷のまま残すように、患者の十二指腸粘膜の治療区域を治療するように構築および配列された治療構成要素であって、該治療構成要素は細長管遠位部分上に配置された治療要素を含み、該治療要素は粘膜組織を治療するように構成され、粘膜組織の区画の制御された深さの熱切除を行うように構築および配列されている、治療構成要素と、
治療要素によって行われる切除をオペレータが開始することを可能にするように構築および配列されている、コントローラと、
流体を粘膜下組織に送達するための組織拡張デバイスであって、該組織拡張デバイスは複数の１つ以上の針および／または複数の１つ以上の水噴流ノズルを備え、複数の１つ以上の針および／または複数の１つ以上の水噴流ノズルは、円周方向に前記粘膜下層組織の円周部分を拡張させることにより標的治療体積を増加させるように前記粘膜下層組織へと前記流体を送達するように構築および配列されている、組織拡張デバイスと
を備える、システム。
【請求項２】
コントローラは、治療要素内の圧力を調整するように構成される、請求項１に記載のシステム。
【請求項３】
治療要素は、半径方向拡張可能要素、半径方向拡大可能要素、および／または半径方向圧縮可能要素を含む、請求項１に記載のシステム。
【請求項４】
治療要素は、バルーン、ケージ、および／または半径方向展開可能アームのうち１つ以上を備える、請求項３に記載のシステム。
【請求項５】
コントローラは、制御された深さの熱切除を行うために治療要素にエネルギーを送達するように構成される、請求項１に記載のシステム。
【請求項６】
コントローラは、電磁エネルギー；高周波エネルギー；マイクロ波エネルギー；プラズマエネルギー；アルゴンプラズマエネルギー；音エネルギー；超音波エネルギー；亜音速音エネルギー；光エネルギー；レーザ光エネルギー；赤外線光エネルギー；可視光エネルギー；化学エネルギー；熱エネルギー；熱エネルギー；低温エネルギー；機械的エネルギー；およびこれらの組み合わせから成る群から選択される形態で治療要素にエネルギーを送達するように構成される、請求項５に記載のシステム。
【請求項７】
コントローラは、閉ループ様式でエネルギーを送達するように構成される、請求項５に記載のシステム。
【請求項８】
１つ以上のセンサを更に備え、ここでコントローラは、１つ以上のセンサからの信号に基づいて閉ループ様式でエネルギーを送達する、請求項７に記載のシステム。
【請求項９】
コントローラは、可変エネルギー送達プロファイルにおいてエネルギーを送達するように構成される、請求項５に記載のシステム。
【請求項１０】
治療要素を組織と接触させるように構成された真空ポートを更に備える、請求項１に記載のシステム。
【請求項１１】
前記十二指腸粘膜が評価されることを可能にするように構築および配列された視認構成要素をさらに備える、請求項１に記載のシステム。
【請求項１２】
前記視認構成要素は、可視光カメラ、超音波撮像機、光干渉断層撮像機、およびそれらの組み合わせから成る群から選択されるデバイスを備える、請求項１１に記載のシステム。
【請求項１３】
前記治療要素は、標的組織を治療し、非標的組織に及ぼす悪影響を減少させるように構築および配列されている、請求項１に記載のシステム。
【請求項１４】
前記非標的組織は、腸の漿膜、腸の筋層、腸の粘膜下層の最外部分層、ファーター膨大部、膵臓、胆管、およびそれらの組み合わせから成る群から選択される組織を含む、請求項１３に記載のシステム。
【請求項１５】
前記システムは、糖尿病、１型糖尿病、２型糖尿病、高コレステロール血症、メタボリック症候群、セリアック病、肥満、癌（例えば、気管支肺胞癌）、および膀胱炎のうちの１つ以上を治療するように構築および配列されている、請求項１に記載のシステム。
【請求項１６】
前記治療区域は、十二指腸粘膜の複数の隣接する区画を備える、請求項１に記載のシステム。
【請求項１７】
前記治療区域は、第１の部分と第２の部分とを備え、前記制御された深さの熱切除は、前記第１の部分を切除し、続いて前記第２の部分を切除することを含む、請求項１に記載のシステム。
【請求項１８】
前記制御された深さの熱切除は、前記粘膜組織の全部および前記粘膜下層組織の一部の切除を含む、請求項１に記載のシステム。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
遊技に関する遊技情報が記憶可能な記憶手段と、
予め定められた第１条件が充足した場合に前記遊技情報の前記記憶手段への記憶を開始する開始手段と、
予め定められた第２条件が充足した場合に前記遊技情報に関する遊技を終了する第１終了手段と、
前記第２条件とは異なる第３条件で前記遊技情報に関する遊技を終了する第２終了手段と、
前記第１終了手段により前記遊技情報に関する遊技が終了された後、前記記憶手段に記憶されている前記遊技情報に基づく第１情報を表示可能な第１情報表示手段と、
前記第２終了手段により前記遊技情報に関する遊技が終了された後、前記記憶手段に記憶されている前記遊技情報と少なくとも前回の前記遊技情報とに基づく第２情報を表示可能な第２情報表示手段と、
を備え、
前記記憶手段に少なくとも前回の前記遊技情報が記憶されている場合に、予め定められた遊技内容が実行可能であり、
前記第１条件又は前記第２条件の少なくとも一つが特定のユーザー操作が行われることである、
ことを特徴とする遊技機。
【請求項２】
前記遊技機は、パチンコ遊技機である、
請求項１に記載の遊技機。
【手続補正２】
【補正対象書類名】明細書
【補正対象項目名】０００２
【補正方法】変更
【補正の内容】
【０００２】
パチンコ機では、遊技者によるハンドル操作によって打ち出される遊技球が作動入賞口に入賞した場合に、予め定められた特定遊技状態への移行の抽選が行われ、その抽選結果に従った図柄の変動表示が行われる。そして、抽選結果が特定遊技状態への移行当選である場合には、その特定遊技状態に対応して予め定められた回数の可変入賞口の開閉動作が行われ、その可変入賞口への遊技球の入球に応じて賞球の払い出しが行われる。
【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
対戦相手が移動体をゲーム空間内において第１位置から第２位置に向かって移動させ、ユーザが前記移動体に対して作用を与えるゲームを制御するためのプログラムであって、
前記第１位置から前記第２位置に向かって移動する前記移動体の位置を、前記第１位置と前記第２位置との間に設定された作用領域に投影して、その投影位置に応じて移動するオブジェクトを表示させるステップをコンピュータに実行させ、
前記オブジェクトを表示させるステップでは、前記移動体が前記作用領域に到達するタイミングで前記オブジェクトが前記移動体と重畳するように、前記ユーザ及び前記対戦相手のうち少なくともいずれか一方に関する情報に応じて決定されたタイミングで、前記オブジェクトの移動を開始させることを特徴とするプログラム。
【請求項２】
前記ゲームは、前記ゲーム空間内において前記対戦相手の第２キャラクタが前記移動体を前記第１位置から前記第２位置に向かって移動させ、前記ユーザによって操作される第１キャラクタが前記移動体に対して作用を与えるゲームであり、
前記オブジェクトを表示させるステップでは、前記第１キャラクタ及び前記第２キャラクタのうち少なくともいずれか一方に関する情報に応じて決定されたタイミングで、前記オブジェクトの移動を開始させることを特徴とする請求項１に記載のプログラム。
【請求項３】
前記オブジェクトを表示させるステップでは、前記第１キャラクタと前記第２キャラクタとの相性に関する情報に応じて決定されたタイミングで、前記オブジェクトの移動を開始させることを特徴とする請求項２に記載のプログラム。
【請求項４】
前記オブジェクトを表示させるステップでは、前記第１キャラクタが前記第２のキャラクタに対して相性が悪い場合、そうでない場合よりも、前記オブジェクトの移動を開始させるタイミングを遅くすることを特徴とする請求項３に記載のプログラム。
【請求項５】
前記オブジェクトを表示させるステップでは、前記第１キャラクタの所定のパラメータ及び前記第２キャラクタの所定のパラメータのうち少なくともいずれか一方に応じて決定されたタイミングで、前記オブジェクトの移動を開始させることを特徴とする請求項２に記載のプログラム。
【請求項６】
対戦相手が移動体をゲーム空間内において第１位置から第２位置に向かって移動させ、ユーザが前記移動体に対して作用を与えるゲームを制御するゲーム制御方法であって、
前記第１位置から前記第２位置に向かって移動する前記移動体の位置を、前記第１位置と前記第２位置との間に設定された作用領域に投影して、その投影位置に応じて移動するオブジェクトを表示させるステップを有し、
前記オブジェクトを表示させるステップでは、前記移動体が前記作用領域に到達するタイミングで前記オブジェクトが前記移動体と重畳するように、前記ユーザ及び前記対戦相手のうち少なくともいずれか一方に関する情報に応じて決定されたタイミングで、前記オブジェクトの移動を開始させることを特徴とするゲーム制御方法。
【請求項７】
対戦相手が移動体をゲーム空間内において第１位置から第２位置に向かって移動させ、ユーザが前記移動体に対して作用を与えるゲームを制御するゲーム制御装置であって、
前記第１位置から前記第２位置に向かって移動する前記移動体の位置を、前記第１位置と前記第２位置との間に設定された作用領域に投影して、その投影位置に応じて移動するオブジェクトを表示させる手段を備え、
前記オブジェクトを表示させる手段は、前記移動体が前記作用領域に到達するタイミングで前記オブジェクトが前記移動体と重畳するように、前記ユーザ及び前記対戦相手のうち少なくともいずれか一方に関する情報に応じて決定されたタイミングで、前記オブジェクトの移動を開始させることを特徴とするゲーム制御装置。
【請求項８】
対戦相手が移動体をゲーム空間内において第１位置から第２位置に向かって移動させ、ユーザが前記移動体に対して作用を与えるゲームを実行するゲームシステムであって、
前記第１位置から前記第２位置に向かって移動する前記移動体の位置を、前記第１位置と前記第２位置との間に設定された作用領域に投影して、その投影位置に応じて移動するオブジェクトを表示させる手段を備え、
前記オブジェクトを表示させる手段は、前記移動体が前記作用領域に到達するタイミングで前記オブジェクトが前記移動体と重畳するように、前記ユーザ及び前記対戦相手のうち少なくともいずれか一方に関する情報に応じて決定されたタイミングで、前記オブジェクトの移動を開始させることを特徴とするゲームシステム。
【手続補正２】
【補正対象書類名】明細書
【補正対象項目名】発明の名称
【補正方法】変更
【補正の内容】
【発明の名称】プログラム、ゲーム制御方法、ゲーム制御装置及びゲームシステム
【手続補正３】
【補正対象書類名】明細書
【補正対象項目名】０００１
【補正方法】変更
【補正の内容】
【０００１】
本発明は、ユーザの操作に基づいてゲームを制御するプログラム、ゲーム制御方法、ゲーム制御装置及びゲームシステムに関するものである。
【手続補正４】
【補正対象書類名】明細書
【補正対象項目名】０００６
【補正方法】変更
【補正の内容】
【０００６】
本発明のプログラムは、対戦相手が移動体をゲーム空間内において第１位置から第２位置に向かって移動させ、ユーザが前記移動体に対して作用を与えるゲームを制御するためのプログラムであって、前記第１位置から前記第２位置に向かって移動する前記移動体の位置を、前記第１位置と前記第２位置との間に設定された作用領域に投影して、その投影位置に応じて移動するオブジェクトを表示させるステップをコンピュータに実行させ、前記オブジェクトを表示させるステップでは、前記移動体が前記作用領域に到達するタイミングで前記オブジェクトが前記移動体と重畳するように、前記ユーザ及び前記対戦相手のうち少なくともいずれか一方に関する情報に応じて決定されたタイミングで、前記オブジェクトの移動を開始させることを特徴とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
ユーザの操作に応じてビデオゲームの進行を制御する機能をサーバに実現させるためのビデオゲーム処理プログラムであって、
前記サーバに、
仮想空間でオブジェクトが実行中のモーションを途中で停止させる停止機能と、
前記停止機能により停止中の前記オブジェクト以外のオブジェクトの動作を含むビデオゲームの制御を進行させる進行機能と、
前記ユーザの撮影に関する所定の入力操作に基づいて、前記停止中のオブジェクトを含む前記仮想空間を撮影する撮影機能とを
実現させるためのビデオゲーム処理プログラム。
【請求項２】
前記ビデオゲームは、複数のユーザが参加して複数のユーザそれぞれの操作対象のオブジェクトが同一の仮想空間上に登場するマルチプレイ型のビデオゲームであり、
前記進行機能は、前記停止機能に基づいてユーザの操作対象のオブジェクトのモーションを途中で停止した状態で、他のユーザのオブジェクトの制御を含むビデオゲーム全体を進行させる機能を含む
請求項１記載のビデオゲーム処理プログラム。
【請求項３】
前記停止機能は、オブジェクトにモーションを実行させてから所定時間経過後にモーションを停止させることを指定可能な機能を含む
請求項１または請求項２記載のビデオゲーム処理プログラム。
【請求項４】
前記サーバに、
オブジェクトに実行させる一連の動作である前記モーションを予め記憶させた記憶手段を参照して、前記ユーザに指定されたモーションを前記オブジェクトに実行させるモーション制御機能を実現させ、
前記停止機能は、前記ユーザの操作に基づいて、前記撮影機能による撮影のためにユーザの所望する姿勢状態となるように、前記オブジェクトが実行中のモーションを途中で停止させる機能を含む
請求項１から請求項３のいずれかに記載のビデオゲーム処理プログラム。
【請求項５】
ユーザの操作に応じてビデオゲームの進行を制御する機能をユーザ端末に実現させるためのビデオゲーム処理プログラムであって、
前記ユーザ端末に、
仮想空間でオブジェクトが実行中のモーションを途中で停止させる停止機能と、
前記停止機能により停止中の前記オブジェクト以外のオブジェクトの動作を含むビデオゲームの制御を進行させる進行機能と、
前記ユーザの撮影に関する所定の入力操作に基づいて、前記停止中のオブジェクトを含む前記仮想空間を撮影する撮影機能とを
実現させるビデオゲーム処理プログラム。
【請求項６】
通信ネットワークと、サーバと、ユーザ端末とを備え、ユーザの操作に応じてビデオゲームの進行を制御するビデオゲーム処理システムであって、
仮想空間でオブジェクトが実行中のモーションを途中で停止させる停止手段と、
前記停止手段により停止中の前記オブジェクト以外のオブジェクトの動作を含むビデオゲームの制御を進行させる進行手段と、
前記ユーザの撮影に関する所定の入力操作に基づいて、前記停止中のオブジェクトを含む前記仮想空間を撮影する撮影手段
とを含むビデオゲーム処理システム。
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
表示手段と、
前記表示手段の少なくとも一部を覆う位置に変位可能な演出用可動体を含む複数の演出用可動体と、
複数の前記演出用可動体のそれぞれの異常を検出可能な異常検出手段と、
複数の発光手段からなり、前記演出用可動体の位置に関わらず視認可能な位置に設けられた特定表示手段と、
異常報知に関する異常報知音声を出力可能な異常音声出力手段と、
を備え、
前記特定表示手段は、前記異常検出手段の検出結果に基づいて、いずれの発光手段が発光したかによって、いずれの可動体の異常であるかを特定可能であり、
電源供給の開始に対応して前記異常検出手段により異常が検出された場合は、前記異常音声出力手段による異常報知音声の出力を行うとともに前記特定表示手段による異常表示を行い、
電源供給の開始に対応しない期間であって遊技可能な期間において、演出の実行に対応して前記異常検出手段により異常が検出された場合は、前記異常音声出力手段による異常報知音声の出力を行うことなく前記特定表示手段による異常表示を行う、
ことを特徴とする、遊技機。
【手続補正２】
【補正対象書類名】明細書
【補正対象項目名】０００６
【補正方法】変更
【補正の内容】
【０００６】
前記課題を解決するために、本発明の請求項１に記載の遊技機は、
遊技が可能な遊技機であって、
表示手段と、
前記表示手段の少なくとも一部を覆う位置に変位可能な演出用可動体を含む複数の演出用可動体と、
複数の前記演出用可動体のそれぞれの異常を検出可能な異常検出手段と、
複数の発光手段からなり、前記演出用可動体の位置に関わらず視認可能な位置に設けられた特定表示手段と、
異常報知に関する異常報知音声を出力可能な異常音声出力手段と、
を備え、
前記特定表示手段は、前記異常検出手段の検出結果に基づいて、いずれの発光手段が発光したかによって、いずれの可動体の異常であるかを特定可能であり、
電源供給の開始に対応して前記異常検出手段により異常が検出された場合は、前記異常音声出力手段による異常報知音声の出力を行うとともに前記特定表示手段による異常表示を行い、
電源供給の開始に対応しない期間であって遊技可能な期間において、演出の実行に対応して前記異常検出手段により異常が検出された場合は、前記異常音声出力手段による異常報知音声の出力を行うことなく前記特定表示手段による異常表示を行う、
ことを特徴とする。
また、遊技が可能な遊技機（例えば、パチンコ遊技機１）であって、
表示手段（例えば、演出表示装置５）と、
前記表示手段の少なくとも一部を覆う位置（例えば、演出表示装置５と重畳して該演出表示装置５の表示領域の一部を隠蔽する隠蔽位置）に変位可能な演出用可動体を含む複数の演出用可動体（例えば、第１役物ユニット２０１及び第２役物ユニット２０２）と、
複数の前記演出用可動体のそれぞれの異常を検出可能な（例えば、演出制御用ＣＰＵ１２０が異常検出処理を実行して各役物ユニット２０１，２０２の異常を検出可能な部分）異常検出手段と、
前記演出用可動体の変位に関わらず視認可能な位置（例えば、遊技機用枠３の上部位置）に設けられた異常報知手段（例えば、演出制御用ＣＰＵ１２０がエラー報知処理等を実行して役物エラー報知ユニット２１０の役物エラー報知ＬＥＤ２１０Ｌ，２１０Ｒを点灯してエラー報知を行う部分や、演出制御用ＣＰＵ１２０が初期化処理を実行してスピーカ８Ｌ，８Ｒによりエラー報知音の出力を行う部分）と、
を備え、
前記異常報知手段は、前記異常検出手段の検出結果（例えば、異常検出処理にてセットされるエラー報知フラグの種類）に基づいて、複数の前記演出用可動体のいずれの異常であるかを特定可能に異常を報知する（例えば、演出制御用ＣＰＵ１２０が実行するエラー報知処理にて、役物エラー報知ＬＥＤ２１０Ｌ，２１０Ｒの点灯を行うことで、いずれの種類の役物ユニット２０１，２０２に異常があるのかを報知する部分）
ことを特徴としてもよい。
この特徴によれば、表示手段の少なくとも一部が演出用可動体に覆われて視認困難な場合であっても、異常が検出された演出用可動体を特定することができる。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
歯科用補綴物の製造に用いられるワックスパターン表面処理材であって、
溶媒と、
窒化ホウ素と、
界面活性剤とのみからなる、ワックスパターン表面処理剤。
【請求項２】
前記窒化ホウ素を０．１重量％以上１０重量％以下含有し、
前記界面活性剤を０．１重量％以上５重量％以下含有する、請求項１に記載のワックスパターン表面処理剤。
【請求項３】
前記溶媒は、水、エタノール、メタノール、プロパノール、ブタノール、ペンタノール、アセトン、テトラヒドロフラン、メチルエチルケトンからなる群より選択される１種類以上を含む、請求項１または２に記載のワックスパターン表面処理剤。
【請求項４】
ワックスパターンの表面に、請求項１乃至３の何れか一項に記載のワックスパターン表面処理剤を塗布するワックスパターン表面処理剤塗布工程と、
前記ワックスパターンを埋没材に埋没させる埋没工程と、
前記埋没材を硬化させた後に、前記ワックスパターンを含む前記埋没材を加熱して前記ワックスパターンを焼却し、鋳型を形成する焼却工程と、
セラミックブロックを前記鋳型に鋳込む成型工程とをその順に有する、歯科用補綴物の製造方法。
【手続補正２】
【補正対象書類名】明細書
【補正対象項目名】０００８
【補正方法】変更
【補正の内容】
【０００８】
本発明の一態様によれば、歯科用補綴物の製造に用いられるワックスパターン表面処理材であって、溶媒と、窒化ホウ素と、界面活性剤とのみからなる、ワックスパターン表面処理剤を提供する。
【手続補正書】
【提出日】令和1年7月30日(2019.7.30)
【手続補正１】
【補正対象書類名】特許請求の範囲
【補正対象項目名】全文
【補正方法】変更
【補正の内容】
【特許請求の範囲】
【請求項１】
水平方向に延在する混練釜と、
前記混練釜の中心軸を回転中心軸として２つの異なる同心円上に環状に配置された複数の混練棒と、
前記回転中心軸を中心として前記複数の混練棒を回転させる動力部と、を備え、
前記複数の混練棒を回転させ、前記混練釜に投入された混練材料を混練する混練装置であって、
前記複数の混練棒は、
前記２つの異なる同心円のうちの外側同心円上に配置された外側混練棒と内側同心円上に配置された内側混練棒との複数対のみから構成されており、
前記外側混練棒と前記内側混練棒とは、前記回転中心軸に対して異なる角度オフセットで配置されているとともに、前記内側混練棒は、回転方向上方側に隣接配置された前記外側混練棒に対して所定のクリアランスを持って配置されている、
混練装置。
【請求項２】
前記複数の混練棒に、第１回転速度での第１回転動作と、前記第１回転速度よりも高速の第２回転速度での第２回転動作と、を繰り返す間欠混練処理動作を実施させる、
請求項１に記載の混練装置。
【請求項３】
前記第１回転動作の時間よりも前記第２回転動作の時間の方が長い、
請求項２に記載の混練装置。
【請求項４】
前記間欠混練処理動作を実施する前に、前記複数の混練棒に、前記第２回転速度よりも高速の第３回転速度での定速回転動作を実施させる、
請求項２又は３に記載の混練装置。
【請求項５】
前記外側混練棒と前記内側混練棒とが、６本ずつ設けられている、
請求項１〜４のいずれか一項に記載の混練装置。
【請求項６】
前記内側混練棒とその回転方向上方に隣接配置された前記外側混練棒との前記回転中心軸に対する角度差が、３５°である、
請求項５に記載の混練装置。
【請求項７】
水平方向に延在する混練釜の中心軸を回転中心軸として、２つの異なる同心円上に環状に配置された複数の混練棒を回転させ、前記混練釜に投入された混練材料を混練する、混練方法であって、
前記複数の混練棒は、
前記２つの異なる同心円のうちの外側同心円上に配置された外側混練棒と内側同心円上に配置された内側混練棒との複数対のみから構成されており、
前記外側混練棒と前記内側混練棒とは、前記回転中心軸に対して異なる角度オフセットで配置されているとともに、前記内側混練棒は、回転方向上方側に隣接配置された前記外側混練棒に対して所定のクリアランスを持って配置されている、
混練方法。
【請求項８】
前記複数の混練棒に、第１回転速度での第１回転動作と、前記第１回転速度よりも高速の第２回転速度での第２回転動作と、を繰り返す間欠混練処理動作を実施させる、
請求項７に記載の混練方法。
【請求項９】
前記第１回転動作の時間よりも前記第２回転動作の時間の方が長い、
請求項８に記載の混練方法。
【請求項１０】
前記間欠混練処理動作を実施する前に、前記複数の混練棒に、前記第２回転速度よりも高速の第３回転速度での定速回転動作を実施させる、
請求項８又は９に記載の混練方法。
【請求項１１】
前記外側混練棒と前記内側混練棒とが、６本ずつ設けられている、
請求項７〜１０のいずれか一項に記載の混練方法。
【請求項１２】
前記内側混練棒とその回転方向上方に隣接配置された前記外側混練棒との前記回転中心軸に対する角度差が、３５°である、
請求項１１に記載の混練方法。
【手続補正２】
【補正対象書類名】明細書
【補正対象項目名】発明の名称
【補正方法】変更
【補正の内容】
【発明の名称】混練装置及び混練方法
【手続補正３】
【補正対象書類名】明細書
【補正対象項目名】００２０
【補正方法】変更
【補正の内容】
【００２０】
回転板部１３の回転速度を変化させ、混練中の材料に空気を取り込んで発泡させる（ステップＳ２）。例えば、図５に示すように、動力部により動力が供給されることにより、混練棒１２は中速と低速で回転する動作を繰り返す。なおこの動作を、間欠混練処理動作とする。
【手続補正４】
【補正対象書類名】明細書
【補正対象項目名】００２２
【補正方法】変更
【補正の内容】
【００２２】
なおこのとき、内側混練棒１２ａと外側混練棒１２ｂが回転中心軸に対して異なる角度でオフセットした状態で配置されており、すなわち混練棒１２に位相差が設けられていることで、砂にせん断力を付与することができる。また同時に、混練中の砂を積極的に落下させることで、空気を巻き込んで発泡させている。